(57)【要約】【課題】どのような状態にある木部に対しても容易に適用でき、処理液の浸透性能が高い木部の処理方法を提供する。【解決手段】木部Ｗに処理液Ｍを注入する木部の処理方法である。  そして、木部に穴を開ける工程と、穴に対して加圧手段を有する処理液が充填された注入装置２を固定する工程と、弦巻バネ部２２の復元力によって木部の内部に処理液を浸透させる工程とを備えている。  すなわち、弦巻バネ部の復元力を利用して、低圧かつ長時間にわたって処理液を注入させる。【選択図】図１
2018020527.tif 000002
【特許請求の範囲】
【請求項１】
木部に処理液を注入する木部の処理方法であって、
前記木部に穴を開ける工程と、
前記穴に対して加圧手段を有する前記処理液が充填された注入装置を固定する工程と、
前記加圧手段によって前記木部の内部に前記処理液を浸透させる工程とを備え、
前記加圧手段によって低圧かつ長時間にわたって前記処理液を注入させることを特徴とする木部の処理方法。
【請求項２】
前記加圧手段は、バネ又はゴムの復元力によって圧力を付与する構成であることを特徴とする請求項１に記載の木部の処理方法。
【請求項３】
木部に処理液を注入する際に使用される木ネジノズルであって、
軸方向に貫通する貫通孔を有する木ネジ部と、
前記木ネジ部の後端側に設けられた前記処理液が充填された容器に接続させるためのアダプタ部と、
前記木ネジ部と前記アダプタ部との間を連結させる連結管部とを備え、
前記連結管部は、前記木ネジ部から前記アダプタ部に向けて広がるテーパー状の周面に形成されていることを特徴とする木ネジノズル。
【請求項４】
前記木ネジ部又は前記連結管部に装着される弾性止水リングを備えたことを特徴とする請求項３に記載の木ネジノズル。
【請求項５】
前記アダプタ部の外周には、少なくとも一対の対向する平面部が形成されていることを特徴とする請求項３又は４に記載の木ネジノズル。
【請求項６】
請求項３乃至５のいずれか一項に記載の木ネジノズルを使用した木部に処理液を注入する木部の処理方法であって、
前記木部に前記木ネジノズルをねじ込む工程と、
前記木ネジノズルに対して、加圧手段を有する前記処理液が充填された注入装置を接続する工程と、
前記加圧手段によって前記木部の内部に前記処理液を浸透させる工程とを備えたことを特徴とする木部の処理方法。
【発明の詳細な説明】
【技術分野】
【０００１】
本発明は、木部に防蟻剤や防腐剤などの処理液を注入する木部の処理方法、及びそれに使用される木ネジノズルに関するものである。
【背景技術】
【０００２】
木造建築物のシロアリの食害によって設けられた蟻道に対して、スプレーガンの先端から高圧で防蟻剤を噴出させることで、その中に潜むシロアリを駆除する方法が知られている（特許文献１など参照）。
【０００３】
このスプレーガンには、エンジンやモータなどの動力源を利用して圧送された防蟻剤が供給され、スプレーガンを持った作業員が蟻道の穴に挿し込んでいる間だけ、防蟻剤の注入が行われる。
【０００４】
一方、特許文献２には、木造建築物の木質部分に下向きの穿孔をし、その穴に防腐防蟻剤が充填された容器の頸部を挿し込むことで、自然流下によって防腐防蟻剤を木部に注入させる処理方法が開示されている。
【０００５】
さらに、特許文献３には、木製支柱の周囲を、空隙を設けた状態で底付き保護材によって囲い、その空隙に防腐剤を注入することで、防腐剤を木製支柱の内芯部にまで含浸させていく方法が開示されている。
【０００６】
そして、特許文献４，５には、製材の段階で圧力容器などに投入された木質材に対して、樹脂などの処理液や防蟻剤などの添加剤を浸透させて、木質材の改質を行う方法が開示されている。
【先行技術文献】
【特許文献】
【０００７】
【特許文献１】特開昭６４−３９９２６号公報
【特許文献２】特開昭６３−１２５７４８号公報
【特許文献３】特許第３７０４５３７号公報
【特許文献４】特許第２５５７７８０号公報
【特許文献５】特開２００９−２２０２７９号公報
【発明の概要】
【発明が解決しようとする課題】
【０００８】
しかしながら、高圧で穴に処理液を注入する方法では、木部の浸透速度が小さいため、内部まで処理液を浸透させることができない。他方、処理液が入った容器の先端を穴に挿し込んで自然流下によって注入する方法では、木部の上面に対してしか注入が行えない。さらに、木造建築物などに梁や柱として使用されている木部は、圧力容器などに投入することができない。
【０００９】
そこで、本発明は、どのような状態にある木部に対しても容易に適用でき、処理液の浸透性能が高い木部の処理方法、及び木ネジノズルを提供することを目的としている。
【課題を解決するための手段】
【００１０】
前記目的を達成するために、本発明の木部の処理方法は、木部に処理液を注入する木部の処理方法であって、前記木部に穴を開ける工程と、前記穴に対して加圧手段を有する前記処理液が充填された注入装置を固定する工程と、前記加圧手段によって前記木部の内部に前記処理液を浸透させる工程とを備え、前記加圧手段によって低圧かつ長時間にわたって前記処理液を注入させることを特徴とする。ここで、前記加圧手段は、バネ又はゴムの復元力によって圧力を付与する構成とすることができる。
【００１１】
また、木ネジノズル及びそれを使用した木部の処理方法の発明は、木部に処理液を注入する際に使用される木ネジノズルであって、軸方向に貫通する貫通孔を有する木ネジ部と、前記木ネジ部の後端側に設けられた前記処理液が充填された容器に接続させるためのアダプタ部と、前記木ネジ部と前記アダプタ部との間を連結させる連結管部とを備え、前記連結管部は、前記木ネジ部から前記アダプタ部に向けて広がるテーパー状の周面に形成されていることを特徴とする。
【００１２】
ここで、前記木ネジ部又は前記連結管部に装着される弾性止水リングを備えた構成とすることができる。また、前記アダプタ部の外周には、少なくとも一対の対向する平面部が形成されている構成とすることができる。
【発明の効果】
【００１３】
このように構成された本発明の木部の処理方法は、木部に開けた穴に対して処理液が充填された注入装置を固定し、加圧手段によって低圧かつ長時間にわたって処理液を注入させる。
【００１４】
このように加圧手段を有しているため、木部の側面や下面からも処理液の注入を行うことができる。また、注入装置を穴に固定させるため、処理液の浸透が続く限り注入を続けることが可能で、充分に処理液を浸透させることができる。
【００１５】
また、加圧手段がバネ又はゴムの復元力によって圧力を付与する構成であれば、別途、動力源を必要としないだけでなく、狭い場所にある木部に対しても適用することができる。
【００１６】
さらに、木ネジノズルの発明は、軸方向に貫通する貫通孔を有する木ネジ部と、処理液が充填された容器に接続させるためのアダプタ部と、木ネジ部とアダプタ部との間を連結する連結管部とを備え、連結管部の周面はアダプタ部に向けて広がるテーパー状に形成されている。
【００１７】
このため、木部に割れなどを生じさせることなく、木ネジ部によって穴を設けながら木ネジノズルを固定させることができる。また、木ネジ部によって木部にねじ込まれるのであれば、木部の下面に対しても長時間、固定しておくことができる。さらに、木ネジ部がねじ込まれるのに続いてテーパー状の連結管部が押し込まれて穴に密着されるので、ねじ込むだけで処理液の漏水処理を行うことができる。
【００１８】
また、木ネジ部又は連結管部に弾性止水リングが装着されていれば、木部に開けられた穴との隙間に弾性止水リングを密着させて、より止水性能を高めることができる。
【００１９】
さらに、アダプタ部の外周に少なくとも一対の対向する平面部が形成されていれば、レンチなどの道具を使って、硬い木部に対しても、簡単に木ネジ部をねじ込んでいくことができる。
【図面の簡単な説明】
【００２０】
【図１】本実施の形態の木部の処理方法を説明する断面図である。
【図２】本実施の形態の木ネジノズルの構成を説明するために側面と後面を示した図である。
【図３】木ネジノズルを木部に取り付ける工程を説明する斜視図である。
【図４】防蟻剤が充填された状態の注入装置を説明する側面図である。
【図５】実施例の注入装置を説明する側面図である。
【図６】実施例の別の注入装置を説明する側面図である。
【発明を実施するための形態】
【００２１】
以下、本発明の実施の形態について図面を参照して説明する。図１は、本実施の形態の木部Ｗの処理方法を説明する図である。ここで、木部Ｗには、角材や角板などの切り出された樹木を建築物や製品材料などに用いられるようにした材木、合板や集成材や単板積層材などの木質材料又は樹木などが該当する。
【００２２】
一方、木部Ｗに注入される処理液Ｍには、シロアリなどを駆除するための防蟻剤若しくは防虫剤、木部Ｗの腐食を防ぐための防腐剤、木部Ｗのカビの発生を抑える防カビ剤、木部Ｗを改質したり補強したりするために注入されるエポキシ樹脂などの樹脂材などが該当する。
【００２３】
そして、本実施の形態の木部Ｗの処理方法では、木部Ｗに対して、低圧かつ長時間にわたって処理液Ｍを注入させる。ここで、「長時間」とは、スプレーガンなどで防蟻剤を注入するときのように、作業者がレバーを引いているときだけ注入がおこなわれる短時間（数秒から数分）と対比して表現した時間の長さである。例えば、数時間、好ましくは数日や数か月などの比較的長い時間を指す。要するに、注入装置２に充填された処理液Ｍが木部Ｗに充分に浸透されるまでの時間が、長時間に該当することになる。
【００２４】
一方、「低圧」とは、スプレーガンなどで防蟻剤を注入するときのようにコンプレッサーなどの動力源を利用した高圧（2-3MPa）と対比して表現した圧力の大きさである。例えば、1Pa程度以下、さらには0.5Pa以下の比較的小さい圧力を指す。
【００２５】
そして、低圧の加圧手段を有する注入装置２とは、バネ又はゴムなどの弾性材の復元力によって圧力を付与する、動力源を必要とせずに加圧することができる装置を指す。
【００２６】
動力源を必要とせずに加圧することが可能な注入装置２であれば、木部Ｗがどのような場所にあっても、そこに固定された注入装置２から長時間にわたって注入を続けることができる。
【００２７】
図１及び図４に示した注入装置２は、バネの復元力を利用した加圧手段を有する装置である。この注入装置２は、処理液Ｍの容器となる円筒状のシリンダ部２１と、バネ圧を発生させる弦巻バネ部２２と、シリンダ部２１内を往復運動が可能となるように取り付けられるピストン部２３とによって、主に構成される。
【００２８】
シリンダ部２１は、内空に充填される処理液Ｍの量が分かり易いように、透明又は透光性を有する材料によって形成される。シリンダ部２１の先端には、本体よりも細い円筒状の接続口部２１１が形成される。接続口部２１１の周面には、後述する木ネジノズル１に接続させるためのネジ溝が設けられる。
【００２９】
一方、シリンダ部２１の後端には、ピストン部２３の往復運動を妨げることなく本体に取り付け可能な蓋部２１２が設けられる。弦巻バネ部２２の後端は、蓋部２１２の内面に接触させる。
【００３０】
ピストン部２３は、シリンダ部２１の接続口部２１１側の栓体部２３１と、栓体部２３１の背面に接合されて蓋部２１２から突出させる軸部２３２と、軸部２３２の後端に設けられる後端金具２３３と、軸部２３２に設けられるストッパ部２３４とによって主に構成される。
【００３１】
栓体部２３１は、シリンダ部２１の内周面に摺動可能に密着される栓体で、接続口部２１１と栓体部２３１との間に充填された処理液Ｍが軸部２３２側に漏れ出すのを防ぐ機能を有している。栓体部２３１は、ゴムなどの弾性体によって、例えば接続口部２１１側の円錐体と軸部２３２側の円柱体とが形成される。
【００３２】
軸部２３２は、栓体部２３１の円柱体の中心に一端が接続され、他端は蓋部２１２に設けられた穴（図示省略）を通ってシリンダ部２１の外部に突出される。
【００３３】
軸部２３２には、図４に示すように一対のストッパ部２３４，２３４が設けられる。このストッパ部２３４，２３４は、軸部２３２の中間位置に線対称となる台形状に設けられる。
【００３４】
蓋部２１２には、軸部２３２の円柱体を通過させる円形の穴に連続して、ストッパ部２３４，２３４を通過させるための長方形の穴（図示省略）が設けられる。軸部２３２を回転させてストッパ部２３４，２３４の位置を長方形の穴の位置に合わせることで、軸部２３２を大きく引き出すことができる。
【００３５】
ここで、栓体部２３１と蓋部２１２との間には、弦巻バネ部２２が介在されている。軸部２３２をシリンダ部２１から大きく引き出すと、栓体部２３１と蓋部２１２との距離が短くなって、弦巻バネ部２２が縮むことになる。すなわち、弦巻バネ部２２の復元力の作用が可能な状態になる。
【００３６】
これに対して、軸部２３２を回転させることでストッパ部２３４，２３４を長方形の穴の位置から外すと、ストッパ部２３４，２３４が蓋部２１２の外面に当たって、ピストン部２３の移動が停止されることになる（無圧状態）。
【００３７】
さらに軸部２３２を回転させてストッパ部２３４，２３４を長方形の穴の位置に合わせると、ストッパ部２３４，２３４は蓋部２１２を通過してシリンダ部２１の内空に進入し、栓体部２３１は接続口部２１１に向けて移動する。
【００３８】
このとき、シリンダ部２１の内部の栓体部２３１と接続口部２１１との間に処理液Ｍが充填されていると、栓体部２３１の移動によって生じる圧力で処理液Ｍが接続口部２１１から吐出されることになる。
【００３９】
この処理液Ｍを吐出させる力が、弦巻バネ部２２のバネの復元力によって付与される低圧の圧力である。この弦巻バネ部２２によるバネの復元力は、注入装置２を下方向に向けたときだけでなく、横方向や上方向に向けたときでも発揮させることができる。すなわち、注入装置２を使用することで、下向きだけでなく、横向きや上向きの注入も行うことができるようになる。
【００４０】
こうした構成の注入装置２と木部Ｗとは、本実施の形態の木ネジノズル１によって接続される。木ネジノズル１は、図１及び図２に示すように、軸方向に貫通する貫通孔１１１を有する木ネジ部１１と、木ネジ部１１の後端側に設けられるアダプタ部１２と、木ネジ部１１とアダプタ部１２とを連結する連結管部１３と、木ネジ部１１に装着される弾性止水リングとしてのゴムリング１４とによって主に構成される。
【００４１】
木ネジ部１１の外形は、一般的に木ネジとして材木などにねじ込まれるものと同様の形状に成形される。一方、木ネジ部１１の内部には、処理液Ｍを流下させて先端の注入口１１２から吐出させるための貫通孔１１１が設けられる。例えば直径3mm−5mm程度、長さ10mm−20mm程度の木ネジ部１１を設けることができる。
【００４２】
連結管部１３の内部には、貫通孔１１１に繋がる連通孔１３１が軸方向に沿って設けられる。一方、連結管部１３の外形は、図２に示すように、木ネジ部１１からアダプタ部１２に向けてテーパー状に広がるテーパー周面１３２に形成される。すなわち円筒状の木ネジ部１１に対して、連結管部１３は截頭円錐状に外形が形成される。
【００４３】
そして、木ネジ部１１の後端又は連結管部１３の前端には、ゴムリング１４が装着される。ゴムリング１４は、シリコンゴムなどの弾性材によって円環状に成形される。木ネジ部１１に装着されたゴムリング１４にアダプタ部１２方向へ移動させる力が作用すると、ゴムリング１４は連結管部１３のテーパー周面１３２をせり上がることになる。
【００４４】
この際、テーパー周面１３２は移動抵抗となるので、アダプタ部１２に向けて作用した力が移動抵抗を超えなければ、ゴムリング１４は弾性変形して密着を起こすことができる。
【００４５】
一方、アダプタ部１２は、処理液Ｍが充填された容器でもある注入装置２に接続させるためのジョイント部である。アダプタ部１２の軸方向に貫通する連通孔１２１には、連結管部１３側の内周面にネジ溝１２４が設けられており、接続口部２１１の先端をねじ込むことができる。
【００４６】
接続口部２１１とアダプタ部１２とを連結させることで、シリンダ部２１に充填された処理液Ｍを、接続口部２１１、アダプタ部１２の連通孔１２１、連結管部１３の連通孔１３１及び木ネジ部１１の貫通孔１１１を流下させて、注入口１１２から吐出させることができる。
【００４７】
また、アダプタ部１２の外周には、図２の右側の後面図に示すように、一対の対向する平面部１２２，１２２と鍔部１２３が形成される。すなわちアダプタ部１２は、断面視略長穴状に成形される。この平面部１２２，１２２にレンチＲなどの工具の面を当てることで、木ネジ部１１を容易に木部Ｗにねじ込むことができるようになる。
【００４８】
次に、本実施の形態の木ネジノズル１を使用した木部Ｗの処理方法、並びに木部Ｗの処理方法及び木ネジノズル１の作用について説明する。
【００４９】
まず作業員は、処理を行う木部Ｗが存在する場所に行く。例えば、木造建築物の基礎と１階の床との間で実施する場合は１階の床下空間に入り、上階の床下や天井裏で実施する場合は、処理を行う木部Ｗの表面が露出している空間に入り込む。
【００５０】
そして、木部Ｗの表面に蟻道等の穴が開いている場合は、その穴に対して木ネジノズル１の木ネジ部１１の先端（注入口１１２）を直接、当てることができる。また、蟻道の穴に対して直径3mm程度の下穴を穿孔してから、例えば4mm程度の直径の木ネジ部１１をねじ込む工程に進むこともできる。この下穴は、木ネジ部１１より長く穿孔しておくことで、処理液Ｍの浸透範囲を容易に広げることができるようになる。
【００５１】
また、直径が1mm−2mm程度の細い蟻道が深部まで延びている場合も、その蟻道に沿って処理液Ｍの浸透範囲を広げていくことができる。さらには、蟻道の穴が無い箇所に対しても、木ネジ部１１の先端を木部Ｗの表面に当てる、又は下穴を穿孔してから、以下の工程に進むことができる。
【００５２】
続いて木ネジノズル１を回転させて、木部Ｗに木ネジ部１１をねじ込む。手作業では回転させにくい場合は、図３に示すように、レンチＲをアダプタ部１２の鍔部１２３より外側の平面部１２２，１２２に嵌めることで、木ネジノズル１を容易に回転させることができるようになる。
【００５３】
ここで、蟻道の穴に対してコーン状のノズルを金槌などで打ち込んだ場合、木部Ｗは衝撃によって割れたり欠けたりすることがある。これに対して、木ネジ部１１をねじ込む場合は、木部Ｗの割れや欠けの発生を防ぐことができる。
【００５４】
また、木ネジ部１１によって穴を設けながら行われるねじ込みによる接合は、接合強度が高いため、木ネジノズル１を強固に固定させることができる。すなわち、処理液Ｍが充填された注入装置２の自重に耐え得る接合強度を容易に発揮させることができるので、木部Ｗの側面や下面を処理対象面にすることができる。
【００５５】
このようにして木ネジ部１１を木部Ｗにねじ込んでいくと、木ネジ部１１に続く連結管部１３はアダプタ部１２側が広がったテーパー周面１３２となっているため、木部Ｗの穴の入口に連結管部１３で塞いだ状態にできる。さらに、木ネジ部１１の後端に装着されたゴムリング１４が木部Ｗの表面に接触した後には、ゴムリング１４はテーパー周面１３２に沿って押し上げられて弾性変形し、木部Ｗに穿孔された穴に密着して隙間を埋めた状態にできる。
【００５６】
このように木ネジノズル１を木部Ｗにねじ込むだけで、連結管部１３のテーパー周面１３２とゴムリング１４によって穴との隙間を埋めることができるので、処理液Ｍが木ネジ部１１又は連結管部１３と穴との間から漏れ出すことを防ぐことができる。
【００５７】
図４は、処理液Ｍが充填された状態の注入装置２を示している。作業員は、床下空間などに入る前に注入装置２に処理液Ｍを充填しておくことができる。処理液Ｍの充填に際しては、接続口部２１１を処理液Ｍの容器に挿し込み、後端金具２３３を持ってピストン部２３を後方に引くことで、栓体部２３１より前方の空間に処理液Ｍを充填させることができる。
【００５８】
ピストン部２３は、軸部２３２を回転させて蓋部２１２にストッパ部２３４，２３４が引っ掛かるようにすることで、弦巻バネ部２２の復元力の付与を停止させることができる。すなわち、処理液Ｍが充填された状態が維持される。
【００５９】
そして、木部Ｗにねじ込まれた木ネジノズル１のアダプタ部１２に対して、接続口部２１１の先端をねじ込むことで注入装置２を固定する。木ネジノズル１の木ネジ部１１が木部Ｗにしっかりと接合されていれば、注入装置２及び処理液Ｍの自重がそのまま作用しても外れることがなく、木部Ｗの穴に対して注入装置２が固定された状態を維持させることができる。
【００６０】
このようにして注入装置２が固定された状態で、ピストン部２３の軸部２３２を回転させてストッパ部２３４，２３４による移動の制限を解除すると、栓体部２３１は弦巻バネ部２２の復元力によって接続口部２１１に向けて移動し始める。
【００６１】
すると、図１に示すように、木ネジノズル１の注入口１１２から吐出された処理液Ｍが、木部Ｗの内部に注入されることになる。この処理液Ｍの浸透速度や浸透範囲は、木部Ｗの材質や状態（蟻道の長さや広がり、木部Ｗの劣化度合い、下穴の長さなど）によって変化することになる。
【００６２】
また、処理液Ｍが木ネジ部１１と穴との隙間を通って木部Ｗの表面側に流れたとしても、連結管部１３のテーパー周面１３２やゴムリング１４によって隙間が塞がれているので、漏れることなく木部Ｗの深部に向けて処理液Ｍを浸透させていくことができる。
【００６３】
このように弦巻バネ部２２の復元力によって低圧で加圧された状態が維持されるため、徐々に木部Ｗの深部に処理液Ｍを広げていくことができる。すなわち、木部Ｗは処理液Ｍの浸透速度が低いため、高圧で短時間に注入しても跳ね返されるだけで内部にまで浸透させることができないが、低圧で長時間かけての注入であれば、木部Ｗの浸透速度に合わせた注入を行うことができ、充分に処理液Ｍを浸透させることができる。さらに、木ネジノズル１をねじ込む前に穿孔する下穴を、木部Ｗの深部に至るまで長く穿孔しておくことで、処理液Ｍの浸透範囲を容易に広げることができる。
【００６４】
また、蟻道の穴の直径が1mm−2mm程度と細い場合は、高圧ではほとんど処理液Ｍを注入することができないが、低圧かつ長時間の注入であれば、蟻道の奥まで処理液Ｍを浸透させることができる。さらには、蟻道の穴の有無に関係なく、例えば一定間隔など所定の間隔で木部Ｗに低圧注入により防蟻剤などの処理液Ｍを浸透させておくことで、シロアリを待ち伏せする予防的な処理を行うことができる。すなわち、シロアリが蟻道を伸ばして防蟻剤を浸透させた領域にさしかかれば、その通過時に駆除することができる。
【００６５】
そして、長時間が経過してシリンダ部２１内の処理液Ｍがなくなった場合は、注入装置２及び木ネジノズル１を取り外して撤去する。また、必要に応じて、注入装置２に処理液Ｍを再充填して、再び木ネジノズル１にセットすることもできる。
【００６６】
このように構成された本実施の形態の木ネジノズル１を使用した木部Ｗの処理方法は、木ネジノズル１によって木部Ｗに開けた穴に対して処理液Ｍが充填された注入装置２を固定し、弦巻バネ部２２の復元力によって低圧かつ長時間にわたって処理液Ｍを木部Ｗに注入させる。
【００６７】
このため、木部Ｗの側面や下面などの上面以外の面に対しても、処理液Ｍの注入を行うことができる。また、木ネジ部１１によって注入装置２を木部Ｗの穴に固定させるため、処理液Ｍの浸透が続く限り安定して注入を続けることができ、充分に処理液Ｍを浸透させることができる。
【００６８】
また、加圧手段が弦巻バネ部２２の復元力によって圧力を付与する構成であるため、別途、コンプレッサーなどの動力源を必要としない。さらに、注入装置２が配置できるスペースがあればよく、床下空間や天井裏空間などの狭い場所にある木部Ｗに対しても適用することができる。
【００６９】
特に、天井裏空間や屋根裏空間は、噴霧や吹き付けなどによって薬剤で濡らしてしまうと、下方の部屋を汚すおそれがあるが、本実施の形態の木ネジノズル１であればテーパー周面１３２やゴムリング１４によって漏水処理が施されている。その上、低圧注入であれば、処理液Ｍは木材組織や蟻道に対して低い圧力でゆっくり浸透されるため、処理液Ｍの溢れ出しなどを最小限に抑えることができ、下方の部屋を汚すおそれが無く、安心して長期間使用することができる。
【００７０】
また、木部Ｗが樹木である場合には、低圧かつ長時間にわたって活力剤や栄養剤などの処理液Ｍを注入する本実施の形態の木部Ｗの処理方法を適用することで、弱った樹木に効果的に活力を与えることができる。
【００７１】
さらに、木ネジ部１１によって木部Ｗにねじ込まれるのであれば、木部Ｗの下面から吊り下げられた注入装置２であっても、長時間にわたって安定して固定しておくことができる。
【００７２】
また、木ネジ部１１とアダプタ部１２との間を連結する連結管部１３の周面がアダプタ部１２に向けて広がるテーパー状に形成されていることで、木部Ｗに開けられた穴の入口をテーパー周面１３２で塞ぐ、さらにはゴムリング１４を密着させるという漏水処理をねじ込みと同時に行うことができる。
【００７３】
さらに、アダプタ部１２の外周に少なくとも一対の対向する平面部１２２，１２２が形成されていれば、レンチＲなどの道具を使って、硬い木部Ｗに対しても、簡単に木ネジ部１１をねじ込んでいくことができる。
【００７４】
そして、蟻道や劣化などによって強度が低下した木部Ｗに高圧注入を行うと、高い圧力によって木部Ｗが破壊されるおそれがある。これに対して、エポキシ樹脂などの接着剤を処理液Ｍとして、低圧かつ長時間にわたって木部Ｗの深部にまで浸透させることで、木部Ｗを傷めることなく補強を行うことができる。さらには、弱い材質や、節や背割れ等がある木部Ｗに対して、補強用の樹脂材を低圧注入することで、木部Ｗの改質を行うこともできる。
【実施例】
【００７５】
以下、前記実施の形態で説明した注入装置２とは別の形態の注入装置３，４を使用した実施例について、図５，図６を参照しながら説明する。なお、前記実施の形態で説明した内容と同一乃至均等な部分の説明については、同一用語又は同一符号を用いて説明する。
【００７６】
図５に示した注入装置３は、ゴムの復元力を利用した加圧手段を有する装置である。この注入装置３は、円筒状のシリンダ部３１と、ゴム圧を発生させる一対の加圧ゴム３２，３２と、シリンダ部３１内を往復運動が可能となるように取り付けられるピストン部３３とによって主に構成される。
【００７７】
シリンダ部３１は、内空に充填される処理液Ｍの量が分かり易いように、透明又は透光性を有する材料によって形成される。シリンダ部３１の先端には、本体よりも細い円筒状の接続口部３１１が形成される。接続口部３１１の周面には、木ネジノズル１のアダプタ部１２にねじ込むためのネジ溝が設けられる。
【００７８】
ピストン部３３は、シリンダ部３１の接続口部３１１側の栓体部３３１と、栓体部３３１の背面に接合される本体部３３２と、本体部３３２の後端部３３３から側方に張り出される後方フック３５，３５とによって主に構成される。
【００７９】
この後方フック３５，３５に対して、シリンダ部３１本体の接続口部３１１側には、一対の前方フック３４，３４が側方に張り出される。この前方フック３４，３４と後方フック３５，３５とは、それぞれ同時に対峙させることができ、対峙された前方フック３４と後方フック３５に対して、輪ゴム状の加圧ゴム３２が引っ掛けられることになる。
【００８０】
この注入装置３を使用して木部Ｗの処理方法を実施するに際しては、例えば、接続口部３１１を処理液Ｍの容器に挿し込んだ状態で、後端部３３３を持ってピストン部３３を後方に引いて、栓体部３３１より前方の空間に処理液Ｍを充填させる。
【００８１】
そして、木部Ｗにねじ込まれた木ネジノズル１のアダプタ部１２に対して接続口部３１１をねじ込み、注入装置３を木部Ｗに対して固定する。この状態で、前方フック３４，３４と後方フック３５，３５との間に加圧ゴム３２，３２を伸ばして引っ掛けると、伸びたゴムの復元力がピストン部３３に作用するので、処理液Ｍは加圧ゴム３２，３２によって低圧で加圧された状態になる。
【００８２】
加圧ゴム３２，３２は、バランスよく加圧を持続させるため、左右均等に配置されるのが好ましいが、１組の前方フック３４と後方フック３５との間に引っ掛ける数は１本に限定されるものではない。加圧ゴム３２を引っ掛ける本数によって、作用させる圧力の大きさを調整することができる。
【００８３】
一方、図６に示した注入装置４は、注入装置３と同じくゴムの復元力を利用した加圧手段を有する装置である。この注入装置４は、円筒状のゴムチューブ４１と、ゴムチューブ４１の前端部４１１に設けられる接続口部４２と、ゴムチューブ４１の後端部４１２に設けられる充填口部４３とによって主に構成される。
【００８４】
ゴムチューブ４１は、処理液Ｍが充填される前は、図６の二点鎖線で示したように縮んだ状態になる。この縮んだ状態で木部Ｗにねじ込まれた木ネジノズル１のアダプタ部１２に対して接続口部４２をねじ込み、注入装置４を木部Ｗに対して固定する。
【００８５】
そして、逆止弁（図示省略）が設けられた充填口部４３に処理液Ｍの容器を接続してゴムチューブ４１に対して注入を行うと、すぐに木部Ｗに浸透できない処理液Ｍによってゴムチューブ４１が膨らみ、実線で図示した膨張状態になる。この膨張状態は、伸びたゴムチューブ４１の復元力が処理液Ｍに均等に作用する低圧で加圧された状態である。
【００８６】
このように構成された実施例の注入装置３，４は、加圧ゴム３２，３２又はゴムチューブ４１の復元力によって、低圧かつ長時間にわたって処理液Ｍを木部Ｗに注入させることができる。なお、実施例のこの他の構成及び作用効果については、前記実施の形態と略同様であるため説明を省略する。
【００８７】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００８８】
例えば、前記実施の形態及び実施例では、加圧手段としてバネ又はゴムの復元力によって圧力を付与する構成について説明したが、これに限定されるものではなく、圧縮させた空気の圧力（空気圧）によって圧力を付与する構成が加圧手段であってもよい。
【００８９】
また、前記実施の形態及び実施例では、木ネジノズル１と注入装置２，３，４とを直接、連結する場合について説明したが、これに限定されるものではなく、木ネジノズル１と注入装置２，３，４との間にジョイント管やジョイントチューブを介在させることもできる。例えば、Ｌ形のジョイント管をアダプタ部１２と接続口部２１１との間に介在させることで、木ネジ部１１のねじ込み方向に対して注入装置２の延伸方向（ピストン部２３の往復運動方向）を直角方向に向けることができる。
【００９０】
さらに、前記実施の形態で説明した木ネジノズル１は、前記実施の形態及び実施例で説明した注入装置２，３，４以外の処理液Ｍが充填された容器とも接続させることができる。
【００９１】
また、前記実施の形態では、一対の対向する平面部１２２，１２２が形成されたアダプタ部１２について説明したが、これに限定されるものではなく、六角筒状や円筒状のアダプタ部にすることもできる。さらに、連結管部１３の外形も、截頭円錐状に限定されるものではなく、円柱状や多角柱状であってもよい。
【００９２】
また、前記実施の形態では、既存の木造建築物や樹木などの木部Ｗを対象にして主に説明してきたが、それに限定されるものではなく、建築時にも適用することができる。例えば、工場などで予め防蟻処理などがなされた木質材料を使用する場合であっても、切断や穿孔などの現場での加工によって処理されていない面が発生して、継目などに隠れる場合がある。そのような場合にも、本実施の形態の低圧かつ長時間の木部Ｗの処理方法で、継目の深部にまで処理液Ｍを浸透させることができる。
【符号の説明】
【００９３】
Ｍ              処理液
Ｗ              木部
１              木ネジノズル
１１            木ネジ部
１１１          貫通孔
１２            アダプタ部
１２２          平面部
１３            連結管部
１３２          テーパー周面
１４            ゴムリング（弾性止水リング）
２              注入装置
２２            弦巻バネ部（バネ）
３              注入装置
３２            加圧ゴム（ゴム）
４              注入装置
４１            ゴムチューブ（ゴム）
【図１】
2018020527.tif 000003
【図２】
2018020527.tif 000004
【図３】
2018020527.tif 000005
【図４】
2018020527.tif 000006
【図５】
2018020527.tif 000007
【図６】
2018020527.tif 000008